(57)【要約】【課題】接着剤やリベットを用いずにフェーシングを固定するとともに、相手部材に万一錆が発生しても摩擦特性には影響がないトルクリミッタ装置とする。【解決手段】第１回転軸に連結された第１部材と、第１部材に保持された第２部材との両方にフェーシングを保持し、第２回転軸に連結された摩擦プレートにその一対のフェーシングがそれぞれ常時圧接された構造とし、第１部材及び第２部材とフェーシングの少なくとも一方に互いに同芯に位置決めする位置決め手段を形成した。【選択図】図１
2012102755.tif 000002
【特許請求の範囲】
【請求項１】
互いに同軸な第１回転軸と第２回転軸との間に設けられたトルクリミッタ装置であって、
該第１回転軸に連結され径方向外方に延設された第１部材と、
該第２回転軸に連結され径方向外方に延設されて該第１部材と対向する平板リング形状の摩擦プレートと、
該第１部材に保持され該第１部材と反対側で該摩擦プレートと対向する第２部材と、
該第２部材を該摩擦プレートに向かって押圧する付勢部材と、を備え、
該摩擦プレートと対向する該第１部材及び該第２部材の表面にはそれぞれ平板リング形状のフェーシングが保持されて該付勢部材によって常時該摩擦プレートの両表面にそれぞれ押圧され、
該第１部材及び／又は該フェーシングと該第２部材及び／又は該フェーシングとには互いに同芯に位置決めするための位置決め手段がそれぞれ設けられたことを特徴とする車両用トルクリミッタ装置。
【請求項２】
前記摩擦プレートは表面が防錆処理された金属製又はステンレス鋼製である請求項１に記載の車両用トルクリミッタ装置。
【請求項３】
前記摩擦プレートは前記第２回転軸に対して軸方向に相対移動可能に取付けられ、前記第２部材は前記第１部材に対して軸方向に相対移動可能に保持されている請求項１又は請求項２に記載の車両用トルクリミッタ装置。
【請求項４】
前記位置決め手段は、前記フェーシングに設けられた二箇所以上の凹部又は貫通孔と、前記第１部材及び前記第２部材から突出し該凹部又は該貫通孔とそれぞれ係合する二箇所以上の凸部である請求項１〜３のいずれかに記載の車両用トルクリミッタ装置。
【請求項５】
前記位置決め手段は、前記第１部材及び前記第２部材から突出し前記フェーシングの外周縁及び内周縁の少なくとも一方に接する複数の位置決めピンである請求項１〜３のいずれかに記載の車両用トルクリミッタ装置。
【発明の詳細な説明】
【技術分野】
【０００１】
本発明は、ハイブリッド駆動装置用ダンパなどに用いられるトルクリミッタ装置に関するものである。
【背景技術】
【０００２】
ハイブリッド駆動装置は、エンジンと電動モータとをそれぞれ駆動源としている。このように複数の駆動源を有するハイブリッド駆動装置では、駆動源が１個しかない駆動装置に比較してトルク変動が発生し易い。このためハイブリッド駆動装置には、エンジンと電動モータとの間のトルク変動を抑えるダンパ機能をもつトルク変動吸収装置が用いられている。
【０００３】
例えば特開平09−226392号公報には、スプリングやゴムなどの弾性部材からなるダンパによってエンジンと電動モータによるトルク変動を抑制する技術が開示されている。しかしトルク変動が過大である場合には、弾性部材の抑制容量を大きくする必要があり、弾性部材の抑制容量が徐々に低下するような場合には、２つの駆動源がそれぞれ直接トルク変動を受けることになるので、各部材の強度を大きく設定する必要がある。
【０００４】
そこで特開2002−013547号公報には、２つの駆動源によるトルク変動が所定値に達すると動力の伝達を遮断するトルクリミッタ装置を備えたハイブリッド駆動装置用ダンパが開示されている。この公報に開示されたトルクリミッタ装置の概略構造を図11に示す。このトルクリミッタ装置は、エンジンと電動モータとの間に配設され、ダンパ100の外周側に配置されている。
【０００５】
ダンパ100には第２回転軸200が連結され、第２回転軸200は、図示しない遊星歯車機構を介して電動モータの回転軸に連結されている。ダンパ100は、第２回転軸200とスプライン結合しており、軸方向に変位可能とされている。トルクリミッタ装置は、ダンパ100の外周面に固定された平板リング形状の芯プレート101を有し、芯プレート101の両面にはそれぞれフェーシング102が接着されている。芯プレート101は、第２回転軸200と同軸にあるエンジンの出力軸103に連結され出力軸103と共に回転駆動する第１回転部材104と、第１回転部材104に対して軸方向に相対移動可能に保持された第２回転部材105との間に配置されている。第２回転部材105の背面には皿バネ106が配置され、第１回転部材104に固定された固定プレート107が皿バネ106を押圧している。したがって芯プレート101の両面に接着されたフェーシング102は、一方が第１回転部材104に、他方が第２回転部材105に、それぞれ常時押圧されている。
【０００６】
このように構成されたトルクリミッタ装置では、トルク変動が所定値より小さい範囲においては、エンジンの出力軸103の回転がトルクリミッタ装置を介してダンパ100にそのまま伝達される。そしてダンパ100に設けられた図示しない弾性部材がトルク変動に応じて弾性変形しながら、エンジンの出力軸103の回転が第２回転軸200に伝達される。そしてトルク変動が所定値を超えると、フェーシング102が第１回転部材104と第２回転部材105に対して滑り出し、所定値以上のトルク変動を伝達しなくなる。第２回転部材105は第１回転部材104に対して軸方向に相対移動可能であり、芯プレート101はダンパ100と共に軸方向へ変位可能であるので、皿バネ106の付勢力によってフェーシング102の摩耗に追従して第２回転部材105及び芯プレート101が軸方向へ変位する。
【０００７】
上記したトルクリミッタ装置では、フェーシング102を接着剤で芯プレート101に接着している。しかし芯プレート101とフェーシング102とは共に平板リング形状であるために、接着の際におけるフェーシング102と芯プレート101との位置決め精度及び芯合わせ精度を高くすることが難しいという問題があった。またリベットを用いてフェーシング102を芯プレート101に固定することも一般に行われているが、部品点数が多く自動化が容易でないという不具合がある。
【０００８】
そこで特開2010−223294号公報には、上述したトルクリミッタ装置用のフェーシング102として用いることができる乾式摩擦材が開示されている。同公報に開示された技術によれば、芯プレート101とフェーシング102の少なくとも一方に、互いに同芯に位置決めするための位置決め手段を形成したので、接着剤やリベットを用いずにフェーシング102を芯プレート101に固定することができる。この位置決め手段としては、凹凸係合などが例示されている。
【先行技術文献】
【特許文献】
【０００９】
【特許文献１】特開平09−226392号公報
【特許文献２】特開2002−013547号公報
【特許文献３】特開2010−223294号公報
【発明の概要】
【発明が解決しようとする課題】
【００１０】
上記したような車両用トルクリミッタ装置においては、摩擦摺動時に安定した摩擦係数が発現することが重要である。ところが、浸水地域走行時やぬかるみ走行時などにフェーシング102に水が含浸し、第１回転部材104又は第２回転部材105に錆が発生することでフェーシング102が固着することが想定され、錆の発生を抑制する化成処理などの方策が採られている。しかし化成処理などの工数が掛かるので、工数を低減して錆の問題を解決するには、第１回転部材104及び第２回転部材105をステンレス鋼などから形成するのが望ましい。
【００１１】
ところがステンレス鋼などは機械加工が比較的困難な材料であるため、第１回転部材104及び第２回転部材105の形状によってはこれらの製造が困難となる場合がある。またフェーシング102となる乾式摩擦材に、位置決め手段として貫通孔などの凹部を形成する場合には、強度の低下を回避するためにガラス繊維などの補強材を増量する必要がある。しかしガラス繊維を増量すると水が含浸し易くなり、相手部材が錆易くなるという問題がある。
【００１２】
本発明は上記事情に鑑みてなされたものであり、接着剤やリベットを用いずにフェーシングを固定するとともに、上述の第１回転部材104及び第２回転部材105などの相手部材に万一錆が発生しても、摩擦特性には影響がないトルクリミッタ装置とすることを解決すべき課題とする。
【課題を解決するための手段】
【００１３】
上記課題を解決する本発明の車両用トルクリミッタ装置の特徴は、互いに同軸な第１回転軸と第２回転軸との間に設けられたトルクリミッタ装置であって、第１回転軸に連結され径方向外方に延設された第１部材と、第２回転軸に連結され径方向外方に延設されて第１部材と対向する平板リング形状の摩擦プレートと、第１部材に保持され第１部材と反対側で摩擦プレートと対向する第２部材と、第２部材を摩擦プレートに向かって押圧する付勢部材と、を備え、摩擦プレートと対向する第１部材及び第２部材の表面にはそれぞれ平板リング形状のフェーシングが保持されて付勢部材によって常時摩擦プレートの両表面にそれぞれ押圧され、第１部材及び／又はフェーシングと第２部材及び／又はフェーシングとには互いに同芯に位置決めするための位置決め手段がそれぞれ設けられたことにある。
【発明の効果】
【００１４】
本発明の車両用トルクリミッタ装置によれば、フェーシングは第１部材と第２部材にそれぞれ保持され、常時フェーシングが摩擦プレートに押し付けられているので、摩擦プレートは第１部材及び第２部材と同期して回転する。そしてトルク変動が所定値を超えると、それぞれのフェーシングが摩擦プレートに対して滑り出し、所定値以上のトルク変動を伝達しなくなる。したがって第１部材と第２部材の少なくとも一方に錆が発生してフェーシングが万一固着したとしても、フェーシングと摩擦プレートとの間の摩擦特性には影響がない。
【図面の簡単な説明】
【００１５】
【図１】本発明の一実施例に係るトルクリミッタ装置を用いたトルク変動吸収装置の断面図である。
【図２】本発明の一実施例に係るトルクリミッタ装置の分解斜視図である。
【図３】本発明の一実施例に係るトルクリミッタ装置の要部分解断面図である。
【図４】本発明の第２の実施例に係るトルクリミッタ装置の要部分解断面図である。
【図５】本発明の第３の実施例に係るトルクリミッタ装置の要部を切り出した分解斜視図である。
【図６】本発明の第４の実施例に係るトルクリミッタ装置に用いたフェーシングの平面図である。
【図７】本発明の第５の実施例に係るトルクリミッタ装置の要部分解断面図である。
【図８】本発明の第６の実施例に係るトルクリミッタ装置の要部正面図である。
【図９】本発明の第７の実施例に係るトルクリミッタ装置の要部正面図である。
【図１０】図９のＡ−Ａ断面図である。
【図１１】従来のトルクリミッタ装置を用いたトルク変動吸収装置の断面図である。
【発明を実施するための形態】
【００１６】
本発明の車両用トルクリミッタ装置は、互いに同軸な第１回転軸と第２回転軸との間に設けられている。ハイブリッド駆動装置を例に挙げて説明すると、第１回転軸とはエンジン及び電動モータのうちの一方の回転軸であり、第２回転軸とはエンジン及び電動モータのうちの他方の回転軸である。エンジンと電動モータの両方を搭載したハイブリッド駆動装置によれば、トルク変動が発生し易いため、本発明に係るトルクリミッタ装置はきわめて有効である。
【００１７】
第１部材は、第１回転軸に連結され径方向外方に延設された部材であり、例えば第１回転軸がエンジンの回転軸の場合には、第１部材はフライホイールなどとすることができる。第２部材は第１部材に保持され、第１部材と共に回転する。そして第１部材と第２部材との間に摩擦プレートが配置されている。第２部材は、付勢部材によって摩擦プレートに向かう方向に押圧されている。
【００１８】
摩擦プレートは平板リング形状をなし、常時は第１部材及び第２部材に保持されたフェーシングが押し付けられることによる摩擦抵抗によって、第１部材の回転を第２回転軸に伝達する。そしてトルク変動が所定値を超えると、それぞれのフェーシングが摩擦プレートに対して滑り出し、所定値以上のトルク変動を伝達しなくなる。したがって摩擦プレートは表面が防錆処理された金属製又はステンレス鋼などから形成し、錆を防止することで固着による摺動時の摩擦特性の変化を防止することが望ましい。摩擦プレートは平板リング状の単純な形状であるので、ステンレス鋼からでも容易に製造することができる。
【００１９】
付勢部材は、第２部材を摩擦プレートに向かう方向へ押圧するものであり、例えば皿バネ、板バネ、コイルスプリングなどが例示される。なお第２部材は、第１部材に対して軸方向に相対移動可能に保持されていることが望ましい。このようにすることで、フェーシングの摩耗に追従して第２部材が摩擦プレートに近づく方向へ移動するので、付勢部材の付勢力が安定して伝達され常時の圧接状態を安定して維持することができる。
【００２０】
また摩擦プレートは、第２回転軸に対して軸方向に変位可能に取付けられていることが望ましい。このようにすることで、フェーシングの摩耗に追従して摩擦プレートが第１部材に近づく方向へ移動するので、付勢部材の付勢力が安定して伝達され常時の圧接状態を安定して維持することができる。
【００２１】
第１部材と第２部材の摩擦プレートに対向する表面には、それぞれフェーシングが保持され、第１部材とフェーシングの少なくとも一方と、第２部材とフェーシングの少なくとも一方には、互いに同芯に位置決めするための位置決め手段が設けられている。
【００２２】
ここでフェーシングはいわゆる乾式摩擦材と称されるものであり、熱硬化性樹脂、ゴム、充填材などから加圧成形により製造された平板リング形状のものである。熱硬化性樹脂としては、フェノール樹脂、エポキシ樹脂などが例示され、特に、メラミン変性フェノール樹脂を始めとする変性フェノール樹脂が好ましい。またゴムとしては、アクリロニトリル−ブタジエンゴム、スチレン−ブタジエンゴムなどの合成ゴム、天然ゴムなどが例示される。充填材としては、レジンダスト、炭酸カルシウム、ガラス繊維などが例示される。
【００２３】
このフェーシングを製造するには、先ずガラス繊維などの補強繊維に未硬化の熱硬化性樹脂液を含浸させて樹脂含浸紐を形成する。続いて未加硫ゴムに顔料、硫黄、加硫促進剤、レジンダスト、炭酸カルシウム、などを混合した配合ゴムを調製し、樹脂含浸紐に所定量の配合ゴムを付着させたものを所定の大きさのドーナツ状に巻き取る。これを金型に押し込み、加熱加圧成形することで、平板リング状のフェーシングが得られる。
【００２４】
位置決め手段とは、第１部材又は第２部材とフェーシングとを互いに同芯に位置決めする手段であり、以下の４種から選択される手段を単独で、あるいは複数種を組み合わせて採用することができる。付勢部材の存在によって、フェーシングは第１部材と摩擦プレートとに、及び第２部材と摩擦プレートとに、常時押し付けられている。したがって位置決め手段によってフェーシングを第１部材及び第２部材と同芯に位置決めするだけで、接着剤やリベットなどを不要として第１部材及び第２部材に保持固定することができる。
（１）第１部材又は第２部材に形成された突起をフェーシングに形成された凹部又は貫通孔と係合させる手段
（２）フェーシングに形成された突起を第１部材又は第２部材に形成された凹部又は貫通孔と係合させる手段
（３）第１部材又は第２部材に形成された位置決めピンにフェーシングの外周縁を沿わせて配置させる手段
（４）第１部材又は第２部材に形成された位置決めピンにフェーシングの内周縁を沿わせて配置させる手段
フェーシング自体は金属に比べて強度が低いが、凹部又は貫通孔の数や形状、あるいは材料組成の変更などによって、上記（２）の手段も十分に可能である。しかし（１）のようにフェーシングに凹部又は貫通孔を形成し、第１部材又は第２部材に形成された突起を係合させるのが好ましい。この場合、位置決めをするには凹部又は貫通孔が１個では用をなさないので、凹部又は貫通孔は少なくとも２個形成し、第１部材又は第２部材の対応する位置に形成された少なくとも２個の突起と係合させる必要がある。またフェーシングに均一な拘束力を付与するためには、リング形状の全周に亘って同一の角度毎に、５個以上の突起と５個以上の凹部又は貫通孔を形成することが望ましい。なお突起の高さは、使用時の摩擦摺動によって摩耗した場合のフェーシングの厚さ未満としなければならないことは言うまでもない。
【００２５】
凹部又は貫通孔と突起の形状は、断面で同一形状として位置決め精度を高くすることが好ましい。また、凹部又は貫通孔に突起が嵌合するように構成すれば、フェーシングをより強固に固定することができる。凹部又は貫通孔に突起が嵌合する構造としては、突起を先端に向かうほど径が小さくなるテーパ形状とし突起の根元で嵌合させる構造、凹部又は貫通孔の内径を入口から奥に向かって小さくなるテーパ形状として突起と嵌合させる構造、凹部又は貫通孔の内周表面あるいは突起の外周表面を断面波形形状とし波形形状の凸部で嵌合させる構造、などが例示される。また、複数の突起を結ぶ円の径と、複数の凹部又は貫通孔を結ぶ円の径とを僅かにずらすことで嵌合させる構造を採用することもできる。
【００２６】
上記（３）、（４）の手段を採用する場合には、円周上に複数個の位置決めピンを配置し、その内周又は外周に沿ってフェーシングを配置することで同芯に位置決めすることができる。この場合、使用時にフェーシングが第１部材又は第２部材に対して円周方向に相対的に移動するのを防止することが望ましい。このようにするには、一部に（１）又は（２）の手段を併用した構造とすればよい。あるいはフェーシングの第１部材又は第２部材に当接する表面にゴム成分を多くするなど高摩擦加工して滑りにくくする方法もある。また位置決めピンをフェーシングの一部と係合するフック形状とすることもできる。
【００２７】
以下、実施例により本発明の実施態様を具体的に説明する。
【実施例１】
【００２８】
図１に本実施例に係るトルクリミッタ装置を用いたトルク変動吸収装置の断面図を示す。このトルク変動吸収装置は、エンジンと電動モータとを搭載するハイブリッド自動車に用いられている。
【００２９】
このトルク１変動吸収装置は、互いに対向するように同軸的に配置された第１回転軸１と第２回転軸２との間に設けられており、第１回転軸１から第２回転軸２へトルクを伝達させると共に、トルク変動が発生したときトルク変動を抑制するものである。第１回転軸１には、径方向外方に延設された第１部材としてのフライホイール10が連結固定されている。このフライホイール10は円盤状をなしており、エンジンの出力軸に連結された第１回転軸１の端面に取付ボルト11によって同軸的に固定されている。
【００３０】
図２に、第１回転軸１側に取付けられた部材の分解斜視図を示す。金属製のフライホイール10は、円板部10aと円板部10aの周縁部にリング状に形成された厚肉のウエイト部10bとからなる。ウエイト部10bには、６個のボルト穴10cが周方向で等間隔に形成されている。円板部10aの中心には第１回転軸１の先端が挿入される中心孔10dが貫通し、中心孔10dの周囲には、取付ボルト11が挿通される６個の貫通孔10eと、円柱状の６個の突起10fと、円板部10aを貫通する６個のスリット10gとが、内周から外周に向かってこの順で形成されている。貫通孔10eと、突起10fと、スリット10gとは、円板部10aの中心を中心とする同心円上にそれぞれ形成され、それぞれ周方向に等間隔に形成されている。
【００３１】
フライホイール10には、ウエイト部10bの内側に平板リング形状のフェーシング３が配置されている。フェーシング３は、外径φ220mm×内径φ190mm×厚さ2.4mmの平板リング形状をなし、厚さ方向に表裏を貫通する６個の貫通孔30が周方向に等間隔に形成されている。そして６個の貫通孔30に６個の突起10fがそれぞれ係合することで、フェーシング３がフライホイール10に保持されている。
【００３２】
フライホイール10には、第２部材としての金属製の押圧プレート４が組付けられている。押圧プレート４の外周には軸方向に延びる６枚の爪部40が延設されている。また押圧プレート４のフライホイール10に対向する側の表面には、突起10fと同様に周方向に等間隔に並ぶ６個の突起41が形成されている。そしてフェーシング３と同一のフェーシング３’の貫通孔30'に突起41が係合することでフェーシング３’が押圧プレート４に取付けられ、爪部40がスリット10gに挿通されることで、押圧プレート４がフライホイール10に組付けられている。また爪部40はスリット10g内を軸方向に相対移動可能となっている。
【００３３】
なおフェーシング３，３’は、メラミン変性フェノール樹脂とガラス繊維などからなる樹脂含浸紐に、アクリロニトリル−ブタジエンゴム、レジンダスト、炭酸カルシウム、硫黄などからなる配合ゴムを付着させ、所定の大きさのドーナツ状に巻き取って金型に押し込み、面圧15MPa、温度165℃で加熱加圧成形することで製造されている。貫通孔30，30'は、フェーシング３，３’の成形時に同時に形成された。
【００３４】
第２回転軸２には、ダンパ７が組付けられている。ダンパ７は特許文献２に記載のものと同様のものであり、第１回転軸１のトルクを第２回転軸２へ自身の弾発力を介して伝達させるものであって、図示しない複数のコイルバネによって周方向に弾性収縮できるように構成されている。ダンパ７の外周表面にはステンレス鋼から形成された平板リング形状の摩擦プレート８が固定されている。摩擦プレート８はダンパ７の径方向外方に延設され、フライホイール10に保持されたフェーシング３及び押圧プレート４に保持されたフェーシング３’とそれぞれ対向するように配置されている。
【００３５】
ダンパ７は、第２回転軸２とスプライン結合しており、フェーシング３，３’の摩耗に追従して軸方向に変位可能とされている。
【００３６】
押圧プレート４の外側には、付勢部材としての皿バネ５と固定プレート６が組付けられている。固定プレート６は皿バネ５の外縁と当接するリング部60と、リング部60から皿バネ５の厚さ（高さ）分延びる筒部61と、筒部61の先端から径方向外方へ延びるフランジ部62とを有し、フランジ部62には６個の貫通孔63が周方向に等間隔に形成されている。そしてボルト64が貫通孔63に挿通されてフライホイール10のボルト穴10cに螺合することで、固定プレート６によって押圧された皿バネ５が押圧プレート４を軸方向に押圧し、フェーシング３，３’がそれぞれ摩擦プレート８に圧接されている。
【００３７】
したがって第１回転軸１のトルク変動が所定の範囲内にある場合には、フェーシング３，３’が摩擦プレート８に圧接されているため、摩擦プレート８は第１回転軸１と同期して回転する。そして第１回転軸１のトルクはフライホイール10、押圧プレート４、フェーシング３とフェーシング３’、摩擦プレート８を介してダンパ７に伝わり、ダンパ７によってトルク変動が吸収され、変動が吸収された第１回転軸１のトルクが第２回転軸２に伝達される。
【００３８】
一方、第１回転軸１のトルク変動が所定値を超え、ダンパ７による吸収量を超えた場合には、フェーシング３，３’と摩擦プレート８との間に滑りが生じ、第１回転軸１から第２回転軸２へのトルク伝達が遮断されるので、第２回転軸２へ過大なトルク変動が伝達されるのを阻止することができる。すなわちフライホイール10、押圧プレート４、フェーシング３，３’、摩擦プレート８、皿バネ５，固定プレート６によって本実施例のトルクリミッタ装置が構成されている。
【００３９】
そして使用時にフェーシング３，３’に水が付着したとしても、摩擦プレート８はステンレス鋼製であるので、錆によってフェーシング３，３’が固着するのを未然に防止できる。またフライホイール10や押圧プレート４に錆が生じてフェーシング３，３’が固着したとしても、フェーシング３，３’はフライホイール10と押圧プレート４にそれぞれ保持固定されているので、固着による問題は全く無い。
【００４０】
図３に拡大して示すように、貫通孔30，30'は真円形状をなし、突起10f，41は断面真円形状をなし、共に同一の直径（φ５mm）を有している。したがって貫通孔30，30'に突起10f，41をそれぞれ挿入することで、フェーシング３，３’をフライホイール10及び押圧プレート４へ位置決め精度高く取付けることができる。また突起10f，41の高さは1.2mmであり、貫通孔30，30'の長さ（フェーシング３，３’の厚さ）の50％とされ、フェーシング３，３’が摩耗したとしても、突起10f，41が摩擦プレート４と当接することが無いように設計されている。
【実施例２】
【００４１】
本実施例は、フェーシング３，３’における貫通孔30，30'の形状が異なること以外は実施例１と同様であるので、異なる部分についてのみ説明する。
【００４２】
図４に示すように、貫通孔30，30'は突起10f，41に対向する入口側から出口側に向かって径が小さくなるテーパ形状に形成されている。入口側の径は実施例１と同様のφ５mmであり、出口側の径はφ３mmとなっている。したがって貫通孔30，30'に直径φ５mmの突起10f，41をそれぞれ挿入する際には、挿入につれて突起10f，41が貫通孔30，30'を押し広げることになり、拘束力が増大するためフェーシング３，３’の取付け強度が向上する。
【実施例３】
【００４３】
本実施例は、フェーシング３，３’における貫通孔30，30'と突起10f，41の形状が異なること以外は実施例１と同様であるので、異なる部分についてのみ説明する。
【００４４】
図５に示すように、突起10f，41は外周が凹凸の連続する断面略星形に形成され、最大径はφ７mmであり、最小径はφ５mmである。また貫通孔30，30'の径はφ６mmである。したがって貫通孔30，30'に突起10f，41をそれぞれ挿入する際には、挿入につれて突起10f，41の外周の凸部が貫通孔30，30'を押し広げることになり、拘束力が増大するためフェーシング３，３’の取付け強度が向上する。
【実施例４】
【００４５】
本実施例は、フェーシング３，３’における貫通孔30，30'と突起10f，41の形状が異なること以外は実施例１と同様であるので、異なる部分についてのみ説明する。
【００４６】
図６に示すように、貫通孔30，30'は内周が凹凸の連続する断面略星形に形成され、最大内径はφ７mmであり、最小内径はφ５mmである。また突起10f，41の径はφ６mmである。したがって貫通孔30，30'に突起10f，41をそれぞれ挿入する際には、挿入につれて突起10f，41が貫通孔30，30'の最小内径部を押し広げることになり、拘束力が増大するためフェーシング３，３’の取付け強度が向上する。
【実施例５】
【００４７】
本実施例は、フェーシング３，３’における貫通孔30，30'の形状が異なること、別部材としてオーリングを用いたこと以外は実施例１と同様であるので、異なる部分についてのみ説明する。
【００４８】
図７に示すように、貫通孔30，30'はフライホイール10及び押圧プレート４に対向する入口側に内径の大きな大内径部31，31'を有し、この大内径部31，31'にオーリング32が配置されている。オーリング32の内径は突起10f，41の径より僅かに小さい。したがって貫通孔30，30'に突起10f，41をそれぞれ挿入すると、突起10f，41がオーリング32によって拘束されることになり、フェーシング３，３’の取付け強度が向上する。
【実施例６】
【００４９】
本実施例は、突起10f，41の形状が異なること以外は実施例１と同様であるので、異なる部分についてのみ説明する。
【００５０】
各６個の突起10f，41の軸中心はそれぞれ同一円の円周上に位置し、実施例１においては、その円はフェーシング３，３’における貫通孔30，30'の中心を連結する円と同一であった。しかし本実施例では、図８に示すように、各６個の突起10f，41の軸中心を連結する円は、貫通孔30，30'の中心を連結する円よりも僅かに径が大きくなるように設計されている。したがって貫通孔30，30'に突起10f，41をそれぞれ挿入すると、貫通孔30，30'が外径側へ伸長するようにして突起10f，41と嵌合することになり、フェーシング３，３’の全周に亘って均一に伸長力が加わるため取付け強度が向上する。
【実施例７】
【００５１】
本実施例は、フェーシング３，３’の形状及び構造とその取付け構造が異なること以外は実施例１と同様であるので、異なる部分についてのみ説明する。
【００５２】
図９，10に示すように、フライホイール10及び押圧プレート４には、突起10f，41に代えて、フェーシング３，３’の内周縁及び外周縁が接する位置にそれぞれ複数の内周位置決めピン12，42と外周位置決めピン13，43が立設されている。内周位置決めピン12，42と外周位置決めピン13，43の高さはフェーシング３，３’の厚さの約50％である。またフェーシング３，３’は貫通孔30，30'をもたず、一表面側に配合ゴムのみから形成されたゴム層33，33'を有し、ゴム層33，33'がフライホイール10及び押圧プレート４に当接するように内周位置決めピン12，42と外周位置決めピン13，43との間に保持されている。
【００５３】
本実施例によれば、内周位置決めピン12，42と外周位置決めピン13，43によってフェーシング３，３’を位置決め精度高く取付けることができる。また摩擦係数の大きなゴム層33，33'がフライホイール10及び押圧プレート４に圧接されているので、フェーシング３，３’がフライホイール10及び押圧プレート４に対して周方向に相対移動するのが防止されている。
【００５４】
なおゴム層33，33'は、本実施例以外の実施例におけるフェーシング３，３’にも形成することが望ましい。こうすることでフェーシング３，３’のフライホイール10及び押圧プレート４に対する相対移動を確実に規制できるので、貫通孔30，30'が変形したりするような不具合を防止することができる。またゴム層33，33'に代えて、接着剤コーティング層を形成してもよい。接着剤コーティング層は軟質でありゴム層33，33'と同様の摩擦係数が得られる。
【００５５】
また本実施例では、内周位置決めピン12，42と外周位置決めピン13，43の両方でフェーシング３，３’を位置決め保持したが、内周位置決めピン12，42と外周位置決めピン13，43のいずれか一方のみでも同様の効果が発現される。
【産業上の利用可能性】
【００５６】
本発明のトルクリミッタ装置は、ハイブリッド駆動装置のダンパなどに好適に用いられる。
【符号の説明】
【００５７】
１：第１回転軸      ２：第２回転軸    ３，３’：フェーシング
４：押圧プレート（第２部材）      ５：皿バネ（付勢部材）
６：固定プレート    ７：ダンパ    ８：摩擦プレート
10：フライホイール（第１部材）   10f，41：突起（位置決め手段）
30,30'：貫通孔（位置決め手段）
【図１】
2012102755.tif 000003
【図２】
2012102755.tif 000004
【図３】
2012102755.tif 000005
【図４】
2012102755.tif 000006
【図５】
2012102755.tif 000007
【図６】
2012102755.tif 000008
【図７】
2012102755.tif 000009
【図８】
2012102755.tif 000010
【図９】
2012102755.tif 000011
【図１０】
2012102755.tif 000012
【図１１】
2012102755.tif 000013